(57)【要約】【課題】移動部材の移動量が大きくなったとしても、移動部材の位置の違いによるクリック感触の差が生じにくいスライド操作型入力装置を提供する。【解決手段】弾性付勢された係合部１１を有すると共にスライド移動可能な移動部材１０と、係合部１１と係脱するカム部２１が設けられ、移動部材１０のスライド移動を案内する案内部材２０と、移動部材１０の位置を検出する検出手段３０と、を備えたスライド操作型入力装置１００であって、カム部２１は、移動部材１０のスライド移動方向Ｄ１に延在すると共に、案内部材２０の上面に設けられた複数の凹凸部２１ａによって構成されており、移動部材１０には、案内部材２０の短手方向における両端部を抱きかかえるように保持する一対の保持部１３が設けられている。【選択図】図４
2016219241.tif 000002
【特許請求の範囲】
【請求項１】
弾性付勢された係合部を有すると共にスライド移動可能な移動部材と、前記係合部と係脱するカム部が設けられ、前記移動部材のスライド移動を案内する案内部材と、前記移動部材の位置を検出する検出手段と、を備えたスライド操作型入力装置であって、
前記カム部は、前記移動部材のスライド移動方向である前記案内部材の長手方向に延在すると共に、前記案内部材の上面に設けられた複数の凹凸部によって構成されており、
前記移動部材には、前記案内部材の短手方向における両端部を抱きかかえるように保持する一対の保持部が設けられている、ことを特徴とするスライド操作型入力装置。
【請求項２】
前記保持部は、側面部と該側面部の上部に位置する上面部と、該側面部の下部に位置する底面部とを有し、一対の前記保持部の間に前記案内部材が挿通される、ことを特徴とする請求項１に記載のスライド操作型入力装置。
【請求項３】
前記案内部材には、一端側が前記案内部材の一端部に連結されていると共に、他端側が前記案内部材の上面から突出する突出部となった片持ち状の弾性腕部が設けられており、
前記移動部材の天井側には、一端側に設けられた上段部と他端側に設けられた下段部とからなる段差が設けられており、
前記移動部材が前記案内部材の一端部側から挿通される際、前記下段部が前記弾性腕部の前記突出部を押し下げながら通過した直後に前記上段部側に前記突出部が位置する、
ことを特徴とする請求項２に記載のスライド操作型入力装置。
【請求項４】
板状のベース部材を有し、前記案内部材は、前記ベース部材に固定されており、前記弾性腕部の下方側への変形が前記ベース部材によって規制される、ことを特徴とする請求項３に記載のスライド操作型入力装置。
【請求項５】
前記検出手段は、前記ベース部材に固定された複数のスイッチによって構成されており、前記移動部材に前記スイッチを駆動する駆動部が設けられている、ことを特徴とする請求項４に記載のスライド操作型入力装置。
【請求項６】
前記係合部が球体からなり、
前記移動部材は、上方に突出した操作部を有すると共に、該操作部の内部には前記球体を弾性付勢するスプリングと前記係合部とが収納されており、
前記移動部材の長手方向における前記係合部を挟んだ両側に前記保持部が設けられている、ことを特徴とする請求項２乃至請求項５のいずれかに記載のスライド操作型入力装置。
【発明の詳細な説明】
【技術分野】
【０００１】
本発明は、スライド操作型入力装置に関し、特に複数段の切り換えが可能なスライド操作型入力装置に関する。
【背景技術】
【０００２】
この種のスライド操作型の入力装置として、例えば、特許文献１に開示されたスライドスイッチ９００が知られている。スライドスイッチ９００の構造を図９に示す。
【０００３】
スライドスイッチ９００は、有底枠体９１０の底部に長孔を設けるとともにスライダ９２０につまみ９２８を突設し、つまみ９２８が長孔から突出する状態でスライダ９２０を有底枠体９１０内に嵌挿し、つまみ９２８を操作することによって有底枠体９１０内をスライダ９２０がクリックストップ式に移動してスイッチをオン又はオフし、有底枠体９１０の開口端内壁面に係止爪９１２を設ける。スライダ９２０におけるクリックストップ機構部９２１の底面に沿って移動方向に各々基板片９３０を延設し、基板片９３０の両側縁に撓み片９３１を立設するとともに撓み片９３１と有底枠体９１０の内壁面との間に係止爪９１２の突出長よりも巾広の隙間を形成し、撓み片９３１の先端外側に係止爪９１２に掛け止め可能な抜け止め突起９３４を設けた。また、クリックストップ機構部９２１には、貫通孔９２２が形成されており、この貫通孔９２２内には、クリック球９２５とコイルばね９２６が収納されている。そして、コイルばね９２６によって付勢されたクリック球９２５は、有底枠体９１０に設けられたクリック用凹部９１４に係合するように構成されている。
【０００４】
このように構成されたスライドスイッチ９００は、有底枠体９１０よりも撓みやすい撓み片９３１を撓ませることによってスライダ９２０を組み付けることができるため、有底枠体９１０にスライダ９２０を組み付けやすく、係止爪９１２も破損しにくい。また、一旦収容されたスライダ９２０を取り外すことも容易にできるため、有底枠体９１０に不良が出てもスライダ９２０共々不良品となることはない、という効果を奏する。
【先行技術文献】
【特許文献】
【０００５】
【特許文献１】特開２００６−０５９７６６号公報
【発明の概要】
【発明が解決しようとする課題】
【０００６】
しかしながら、スライドスイッチ９００では、スライダ９２０の移動量が大きくなると、係合するポジションが多くなり、有底枠体９１０の中央部が撓むため、移動部材であるスライダ９２０が案内部材である有底枠体９１０の中央部に位置する時と端部に位置する時とで、クリック感触に差が生じてしまうという恐れがあった。
【０００７】
本発明はこのような従来技術の実情に鑑みてなされたもので、移動部材の移動量が大きくなったとしても、移動部材の位置の違いによるクリック感触の差が生じにくいスライド操作型入力装置を提供することを目的とする。
【課題を解決するための手段】
【０００８】
上記課題を解決するために、スライド操作型入力装置は、弾性付勢された係合部を有すると共にスライド移動可能な移動部材と、前記係合部と係脱するカム部が設けられ、前記移動部材のスライド移動を案内する案内部材と、前記移動部材の位置を検出する検出手段と、を備えたスライド操作型入力装置であって、前記カム部は、前記移動部材のスライド移動方向である前記案内部材の長手方向に延在すると共に、前記案内部材の上面に設けられた複数の凹凸部によって構成されており、前記移動部材には、前記案内部材の短手方向における両端部を抱きかかえるように保持する一対の保持部が設けられている、という特徴を有する。
【０００９】
このように構成されたスライド操作型入力装置は、移動部材内の保持部が案内部材の短手方向における両端部を抱きかかえるように設けられていると共に、弾性付勢された係合部も移動部材と一緒にスライド移動するので、移動部材と案内部材との間の位置関係がスライド移動している位置によらない。その結果、移動部材の移動量が大きくなったとしても、移動部材の位置の違いによるクリック感触の差が生じにくい。
【００１０】
また、上記の構成において、前記保持部は、側面部と該側面部の上部に位置する上面部と、該側面部の下部に位置する底面部とを有し、一対の前記保持部の間に前記案内部材が挿通される、という特徴を有する。
【００１１】
このように構成されたスライド操作型入力装置は、移動部材をスライド移動可能に案内部材に取り付けることが、容易かつ確実にできる。
【００１２】
また、上記の構成において、前記案内部材には、一端側が前記案内部材の一端部に連結されていると共に、他端側が前記案内部材の上面から突出する突出部となった片持ち状の弾性腕部が設けられており、前記移動部材の天井側には、一端側に設けられた上段部と他端側に設けられた下段部とからなる段差が設けられており、前記移動部材が前記案内部材の一端部側から挿通される際、前記下段部が前記弾性腕部の前記突出部を押し下げながら通過した直後に前記上段部側に前記突出部が位置する、という特徴を有する。
【００１３】
このように構成されたスライド操作型入力装置は、移動部材が案内部材の一端側にスライド移動した際に、移動部材の段差部が案内部材の突出部に当接するので、移動部材が案内部材から抜けることを防止することができる。
【００１４】
また、上記の構成において、板状のベース部材を有し、前記案内部材は、前記ベース部材に固定されており、前記弾性腕部の下方側への変形が前記ベース部材によって規制される、という特徴を有する。
【００１５】
このように構成されたスライド操作型入力装置は、弾性腕部の下方側への変形がベース部材によって規制されるので、移動部材が案内部材から抜けることをより確実に防止することができる。
【００１６】
また、上記の構成において、前記検出手段は、前記ベース部材に固定された複数のスイッチによって構成されており、前記移動部材に前記スイッチを駆動する駆動部が設けられている、という特徴を有する。
【００１７】
このように構成されたスライド操作型入力装置は、複数のスイッチを移動部材のスライド移動に伴ってスイッチングさせることが容易にできる。
【００１８】
また、上記の構成において、前記係合部が球体からなり、前記移動部材は、上方に突出した操作部を有すると共に、該操作部の内部には前記球体を弾性付勢するスプリングと前記係合部とが収納されており、前記移動部材の長手方向における前記係合部を挟んだ両側に前記保持部が設けられている、という特徴を有する。
【００１９】
このように構成されたスライド操作型入力装置は、移動部材の一対の保持部が係合部を挟むように両側に設けられているので、球体がスプリングによって弾性付勢されていても、移動部材が傾きにくく、姿勢を安定させることができる。
【発明の効果】
【００２０】
本発明のスライド操作型入力装置は、移動部材内の保持部が案内部材の短手方向における両端部を抱きかかえるように設けられていると共に、弾性付勢された係合部も移動部材と一緒にスライド移動するので、移動部材と案内部材との間の位置関係がスライド移動している位置によらない。その結果、移動部材の移動量が大きくなったとしても、移動部材の位置の違いによるクリック感触の差が生じにくい。
【図面の簡単な説明】
【００２１】
【図１】スライド操作型入力装置の分解斜視図である。
【図２】スライド操作型入力装置を上方から見た斜視図である。
【図３】スライド操作型入力装置の平面図である。
【図４】スライド操作型入力装置を上方から見た斜視図である。
【図５】案内部材を上方から見た拡大斜視図である。
【図６】移動部材を下方から見た斜視図である。
【図７】スライド操作型入力装置の断面図である。
【図８】スライド操作型入力装置の断面図である。
【図９】従来例に係るスライド操作型入力装置を示す分解斜視図である。
【発明を実施するための形態】
【００２２】
［実施形態］
以下、本発明の実施形態について図面を参照しながら説明する。本実施形態に係るスライド操作型入力装置１００は、例えば、電気掃除機等の家庭用電化製品で使用される複数段の切り換えが可能なスライド操作型入力装置として用いられる。尚、本実施の形態に係るスライド操作型入力装置１００の用途については、これに限定されるものではなく適宜変更が可能である。本明細書では、各図面の＋Ｘ側を右側、−Ｘ側を左側、＋Ｙ側を後側、−Ｙ側を前側、＋Ｚ側を上側、−Ｚ側を下側として説明することがある。
【００２３】
最初に、図１乃至図３を参照して、スライド操作型入力装置１００の全体構成及びその動作について説明する。図１は、スライド操作型入力装置１００の分解斜視図であり、図２は、スライド操作型入力装置１００を上方から見た斜視図であり、図３は、スライド操作型入力装置１００の平面図である。
【００２４】
スライド操作型入力装置１００は、図１に示すように、移動部材１０と、案内部材２０と、検出手段３０と、ベース部材４０とを備えて構成される。移動部材１０内には、スプリング１９と係合部１１を構成する球体１１ａとが収納される。また、検出手段３０は、複数のスイッチ３１と複数の抵抗器３３とで構成される。
【００２５】
案内部材２０は合成樹脂により形成されており、図２及び図３に示すように、長方形形状をしたベース部材４０上に固定されている。移動部材１０も合成樹脂により形成されていて、その上部に上方へ突出した操作部１８を有しており、操作部１８を図２に示すスライド方向Ｄ１へ操作することによって、案内部材２０上をスライド移動可能となるように構成されている。検出手段３０を構成する複数のスイッチ３１と複数の抵抗器３３とは、ベース部材４０上に半田で固定されている。複数のスイッチ３１は、それぞれ、単極単投のスイッチであり、複数のスイッチ３１をそれぞれオン又はオフさせることにより、複数の切り換え結果を得ることができる。
【００２６】
ベース部材４０は板状をした絶縁基板４１によって形成されており、絶縁基板４１上には、上述した複数のスイッチ３１それぞれのオン又はオフの結果を検出し出力するための電子回路（図示せず）が構成されている。尚、ベース部材４０は、本実施形態では絶縁基板４１で形成されているが、ベース部材４０が金属等で形成されていても良い。
【００２７】
電子回路には外部回路から電源電圧が供給されており、複数のスイッチ３１がそれぞれオン又はオフすることによって電源電圧が分圧され、分圧された電圧が外部回路へ出力される。尚、外部回路から電源電圧が供給される構成ではなく、複数のスイッチ３１を含む複数の抵抗器３３による抵抗回路をベース部材４０上に構成し、当該抵抗回路によって得られる抵抗値を外部回路に出力し、外部回路において、この抵抗値を利用した回路を構成するようにしても良い。
【００２８】
移動部材１０の側面には、外側に傾斜を持って突出した駆動部１７が設けられている。また、図３に示すように、複数のスイッチ３１の移動部材１０側には、それぞれスイッチ操作部３２が設けられており、移動部材１０がスライド移動し、駆動部１７が複数のスイッチ３１のスイッチ操作部３２を＋Ｙ方向に倒すことによってそれぞれのスイッチ３１を駆動しオンとする。また、駆動部１７がスイッチ３１のスイッチ操作部３２を倒さない状態では、それぞれのスイッチ３１がオフとなっている。尚、逆に、駆動部１７が複数のスイッチ３１のスイッチ操作部３２を＋Ｙ方向に倒すことによってそれぞれのスイッチ３１がオフとなり、駆動部１７がスイッチ３１のスイッチ操作部３２を倒さない状態で、それぞれのスイッチ３１がオンとなるように構成されていても良い。
【００２９】
本実施形態では、複数のスイッチ３１は、図３に示すように、第１スイッチ３１ａ、第２スイッチ３１ｂ、第３スイッチ３１ｃ、及び第４スイッチ３１ｄの４つのスイッチによって構成されており、図３では、第１スイッチ３１ａ及び第２スイッチ３１ｂがオンとなっており、第３スイッチ３１ｃ及び第４スイッチ３１ｄがオフとなっている状態を示している。
【００３０】
このように、スライド操作型入力装置１００では、移動部材１０のＹ方向における位置によって、複数のスイッチ３１それぞれがオン又はオフとされる。言い換えれば、複数のスイッチ３１それぞれのオン又はオフによって、移動部材１０のＹ方向における位置を検出することができる。
【００３１】
次に、図２及び図４乃至図８を参照して、スライド操作型入力装置１００の詳細な構造について説明する。図４は、スライド操作型入力装置１００を上方から見た斜視図であり、図５は、案内部材２０を上方から見た拡大斜視図であり、図６は、移動部材１０を下方から見た斜視図である。また、図７は、図３に示したＡ−Ａ線から左方向を見た場合のスライド操作型入力装置１００の断面図であり、図８は、図３に示したＢ−Ｂ線から後方向を見た場合のスライド操作型入力装置１００の断面図である。尚、図４では、移動部材１０の内側にある構造を破線で表示している。
【００３２】
図４に示すように、移動部材１０上の操作部１８は、移動部材１０の長手方向におけるほぼ中央の位置に形成されており、操作しやすい大きさに設定されている。操作部１８の内部には、スプリング１９と係合部１１を構成する球体１１ａとが収納されている。スプリング１９は、金属によって螺旋状に形成されており、上下方向に弾性を有している。球体１１ａも金属によって形成されており、スプリング１９の真下に位置するように配置される。尚、本実施形態では、係合部１１として球状の球体１１ａを用いているが、係合部１１として球体１１ａの代わりに板バネ等を用いても良い。
【００３３】
図４及び図５に示すように、案内部材２０には、その上面に、前述した係合部１１である球体１１ａと係脱するカム部２１が設けられており、移動部材１０のスライド移動を案内するように構成されている。カム部２１は、移動部材１０のスライド移動方向（Ｄ１方向）である案内部材２０の長手方向に沿って延在すると共に、複数の凹凸部２１ａによって構成されている。凹凸部２１ａの凹部は、球体１１ａが収まる大きさに設定されている。
【００３４】
案内部材２０は、その最も前側の一端部２７の裏面側及び最も後側の他端部２８の裏面側に、図１及び図５に示すように、下方に突出した取り付け部２５を有している。案内部材２０をベース部材４０に取り付ける際に、取り付け部２５がベース部材４０に設けられた孔４０ａ（図１参照）に挿入されると共に熱かしめされることによって、案内部材２０がベース部材４０に固定される。尚、案内部材２０のベース部材４０への固定方法は、取り付け部２５が熱かしめされること以外の方法であっても良い。
【００３５】
案内部材２０には、一端部２７とカム部２１との間に、一端側が案内部材２０の一端部２７に連結されていると共に、他端側が案内部材２０の上面から突出する突出部２３ａとなった弾性腕部２３が設けられている。言い換えれば、弾性腕部２３は、一端側を支点とした片持ち梁形状をしており、突出部２３ａが上方から押圧されることによって、突出部２３ａが下方に変形するように形成されている。また、案内部材２０が板状のベース部材４０に固定されているため、案内部材２０の弾性腕部２３の下方側への変形がベース部材４０の上面によって規制される。即ち、片持ち状の弾性腕部２３は、案内部材２０がベース部材４０に固定されない状態において、下方へ弾性変形可能となっている。
【００３６】
一方、図６に示すように、移動部材１０の天井側には、一端側（−Ｙ側）に設けられた上段部１５ａと、上段部１５ａより高さの低い、他端側（＋Ｙ側）に設けられた下段部１５ｂとからなる段差部１５が設けられている。上段部１５ａは、移動部材１０の一端から移動部材１０内で操作部１８を形成している壁の−Ｙ側の面近傍、即ち段差部１５が形成されている面まで延在しており、下段部１５ｂは、段差部１５が形成されている面の下端から移動部材１０の他端まで延在している。尚、下段部１５ｂの途中には、操作部１８を形成している壁内に、球体１１ａとスプリング１９とが収納される穴部１８ａが設けられている。
【００３７】
移動部材１０に上段部１５ａと下段部１５ｂとによる段差部１５が形成されていることによって、移動部材１０を案内部材２０に取り付けるために移動部材１０が案内部材２０の一端部２７側から挿通される際、移動部材１０の他端側にある下段部１５ｂが案内部材２０の弾性腕部２３の突出部２３ａを押し下げながら通過する。そして、移動部材１０の段差部１５が突出部２３ａを通過した直後においては、上段部１５ａ側に弾性腕部２３の突出部２３ａが位置することになる。その結果、移動部材１０の案内部材２０への組み込み後に、移動部材１０を案内部材２０の一端部２７方向（−Ｙ方向）にスライド移動させると、段差部１５が弾性腕部２３の突出部２３ａに当接することによって、移動部材１０のスライド移動が規制され、移動部材１０が案内部材２０の一端部２７の外側（−Ｙ側）に抜けることがない。尚、移動部材１０の案内部材２０への組み込み作業は、案内部材２０がベース部材４０に取り付けられる前に行なわれる。
【００３８】
更に、案内部材２０には、図２及び図４に示すように、他端部２８に受止め部２８ａが設けられている。また、移動部材１０の他端側にも、図２及び図４に示すように、当接部１６が設けられている。案内部材２０の受止め部２８ａは、図４に示すように、他端部２８の中央から左右方向に向かって突出した形状をしており、移動部材１０が＋Ｙ方向にスライド移動した時に、移動部材１０の当接部１６が案内部材２０の受止め部２８ａに当接するように設けられている。従って、移動部材１０は、移動部材１０の当接部１６と案内部材２０の受止め部２８ａとが当接するまで＋Ｙ方向にスライド移動可能であるが、それ以上のスライド移動が規制される。
【００３９】
尚、移動部材１０の当接部１６は、案内部材２０の受止め部２８ａと当接する時、スイッチ３１のうち、最も前側（−Ｙ側）のスイッチ、即ち第１スイッチ３１ａがオフにならない位置、言い換えれば、全てのスイッチ（第１スイッチ３１ａ〜第４スイッチ３１ｄ）がオンとなる位置に設定されている。図４では、移動部材１０の当接部１６と案内部材２０の受止め部２８ａとが当接し、全てのスイッチ３１（第１スイッチ３１ａ〜第４スイッチ３１ｄ）がオンとなっている状態を表示している。尚、図２では、移動部材１０の当接部１６と案内部材２０の受止め部２８ａとが当接せず、スイッチ３１のうち、最も後側（＋Ｙ側）の第４スイッチ３１ｄがオフであり、他の全てのスイッチ３１がオンとなっている状態を表示している。
【００４０】
前述したように、移動部材１０の操作部１８の内部、即ち穴部１８ａには、スプリング１９と係合部１１を構成する球体１１ａとが収納されている。図７に示すように、スプリング１９は、穴部１８ａの上側の内壁と球体１１ａとの間に挟まるように配置されている。従って、球体１１ａは、操作部１８の内部でスプリング１９によって下方側へ弾性付勢される。弾性付勢された球体１１ａは、ベース部材４０上の案内部材２０のカム部２１を構成する凹凸部２１ａの凹部を押圧した状態でその凹部内に収まる。球体１１ａは、操作部１８の操作方向Ｄ１へのスライド移動に伴って、スプリング１９によって弾性付勢されながら凹凸部２１ａの凸部を乗り越えて次の凹部内に収まる。従って、移動部材１０がスライド移動し、操球体１１ａが凸部を乗り越える際にクリック感触が得られる。
【００４１】
移動部材１０には、図４及び図６に示すように、案内部材２０を保持する一対の保持部１３が設けられており、移動部材１０を案内部材２０に取り付ける際には、一対の保持部１３の間に案内部材２０の一端部２７が挿通される。
【００４２】
保持部１３は、移動部材１０の内面側に、図６に示すように、側面部１３ｂと、側面部１３ｂの上部に位置する上面部１３ａと、側面部１３ｂの下部に位置する底面部１３ｃと、を有して構成される。上面部１３ａは、側面部１３ｂの上部において側面部１３ｂと交差（直交）するように設けられ、底面部１３ｃは、側面部１３ｂの下部において側面部１３ｂと交差（直交）するように設けられている。そして、移動部材１０のスライド移動方向Ｄ１に沿って、保持部１３（移動部材１０）を側面視した際、保持部１３は、上面部１３ａと側面部１３ｂと底面部１３ｃとによって、コ字形状（Ｕ字状を横にしたような形状）となるように形成されている。また、案内部材２０は、図８に示すように、その上側部分が左右方向（Ｘ方向）に幅広な幅広部２０ａとなっており、その下側部分が左右方向に幅狭な幅狭部２０ｂとなっている。そのため、移動部材１０が案内部材２０に取り付けられている状態で、それぞれがコ字形状（Ｕ字形状）に形成された一対の保持部１３は、幅広部２０ａの両側の下面に一対の保持部１３の底面部１３ｃが対向するものとなり、カム部２１が形成された幅広部２０ａを両側から支えることになる。言い換えれば、保持部１３は、案内部材２０の短手方向における両端部（幅広部２０ａ）を両側から抱きかかえるようにして案内部材２０を保持する。
【００４３】
従って、移動部材１０がスライド移動している時、移動部材１０がどの位置にあっても、一対の保持部１３が案内部材２０の短手方向における両端部（幅広部２０ａ）を保持する体勢は変化することがない。また、移動部材１０内の係合部１１は、移動部材１０のスライド移動に伴って、常に下方側へ弾性付勢された状態でスライド移動する。
【００４４】
また、移動部材１０には、図６に示すように、移動部材１０の長手方向における係合部１１を挟んだ両側（＋Ｙ側及び−Ｙ側）に、それぞれ一対の保持部１３が設けられている。即ち、係合部１１が収納された区域（穴部１８ａ）より前方及び後方（−Ｙ側及び＋Ｙ側）の右側及び左側（＋Ｘ側及び−Ｘ側）に底面部１３ｃを形成するための突起１４が移動部材１０に設けられ、一対の保持部１３が、係合部１１を中央に挟んで２箇所に設けられている。尚、本実施形態では、一対の保持部１３を２箇所に設けたが、一対の保持部１３が、複数箇所に分かれて設けられるのではなく、一対の保持部１３がそれぞれ係合部１１を挟んだ両側から連続して設けられていても良い。また、移動部材１０の上段部１５ａの短手方向における角部には、突出部１２が設けられており、この突出部１２の下面が保持部１３の上面部１３ａを構成する。一方、移動部材１０の下段部１５ｂにおいては、下段部１５ｂの下面が保持部１３の上面部１３ａを構成している。
【００４５】
以下、本実施形態としたことによる効果について説明する。
【００４６】
スライド操作型入力装置１００は、移動部材１０内の保持部１３が案内部材２０の短手方向における両端部を抱きかかえるように設けられていると共に、弾性付勢された係合部１１も移動部材１０と一緒にスライド移動するので、移動部材１０と案内部材２０との間の位置関係がスライド移動している位置によらない。その結果、移動部材１０の移動量が大きくなったとしても、移動部材１０の位置の違いによるクリック感触の差が生じにくい。
【００４７】
また、保持部１３は、その上面部１３ａと側面部１３ｂと底面部１３ｃとによってコ字形状（Ｕ字形状）に形成されており、一対の保持部１３の間に、案内部材２０が挿通されるので、移動部材１０をスライド移動可能に案内部材２０に取り付けることが、容易かつ確実にできる。
【００４８】
また、移動部材１０が案内部材２０の一端部２７側にスライド移動した際に、移動部材１０の段差部１５が案内部材２０の弾性腕部２３における突出部２３ａに当接するので、移動部材１０が案内部材２０から抜けることを防止することができる。
【００４９】
また、案内部材２０の弾性腕部２３の下方側への変形がベース部材４０によって規制されるので、移動部材１０が案内部材２０から抜けることをより確実に防止することができる。
【００５０】
また、移動部材１０にスイッチ３１を駆動する駆動部１７が設けられているので、複数のスイッチ３１を移動部材１０のスライド移動に伴ってスイッチングさせることが容易にできる。
【００５１】
また、移動部材１０の一対の保持部１３が係合部１１を挟むように両側に設けられているので、球体１１ａがスプリング１９によって弾性付勢されていても、移動部材１０が傾きにくく、姿勢を安定させることができる。
【００５２】
以上説明したように、本発明のスライド操作型入力装置は、移動部材内の保持部が案内部材の短手方向における両端部を抱きかかえるように設けられていると共に、弾性付勢された係合部も移動部材と一緒にスライド移動するので、移動部材と案内部材との間の位置関係がスライド移動している位置によらない。その結果、移動部材の移動量が大きくなったとしても、移動部材の位置の違いによるクリック感触の差が生じにくい。
【００５３】
本発明は上記の実施形態に限定されるものではなく、要旨を逸脱しない範囲で種々変更して実施することが可能である。
【符号の説明】
【００５４】
１０    移動部材
１１    係合部
１１ａ  球体
１２    突出部
１３    保持部
１３ａ  上面部
１３ｂ  側面部
１３ｃ  底面部
１４    突起
１５    段差部
１５ａ  上段部
１５ｂ  下段部
１６    当接部
１７    駆動部
１８    操作部
１８ａ  穴部
１９    スプリング
２０    案内部材
２０ａ  幅広部
２０ｂ  幅狭部
２１    カム部
２１ａ  凹凸部
２３    弾性腕部
２３ａ  突出部
２５    取り付け部
２７    一端部
２８    他端部
２８ａ  受止め部
３０    検出手段
３１    スイッチ
３１ａ  第１スイッチ
３１ｂ  第２スイッチ
３１ｃ  第３スイッチ
３１ｄ  第４スイッチ
３２    スイッチ操作部
３３    抵抗器
４０    ベース部材
４０ａ  孔
４１    絶縁基板
１００  スライド操作型入力装置
【図１】
2016219241.tif 000003
【図２】
2016219241.tif 000004
【図３】
2016219241.tif 000005
【図４】
2016219241.tif 000006
【図５】
2016219241.tif 000007
【図６】
2016219241.tif 000008
【図７】
2016219241.tif 000009
【図８】
2016219241.tif 000010
【図９】
2016219241.tif 000011